(57)【特許請求の範囲】
【請求項１】
ケース内に固定されるプリント基板の上部空間にバスバー収容部を設け、該バスバー収容部にバスバーを搭載した絶縁板を収容している車載用の電気接続箱であって、
他の車両と共用で用いられる共用絶縁板と、該共用絶縁板上に搭載される共用バスバーを備え、
前記共用絶縁板と前記バスバー収容部の底面の前記プリント基板との間に、オプション用絶縁板上に搭載されるオプション用バスバーの収容空間が設けられ、
前記共用絶縁板に、バスバー搭載部の外縁から支持脚が突設されていると共にバスバー搭載部の外周よりも内側の中央部から内側支持脚が突設されている一方、
前記オプション用絶縁板に、前記共用絶縁板の前記外縁の支持脚および内側支持脚とは異なる位置で前記バスバー収容部の底面に支持される支持脚が設けられていると共に前記共用絶縁板の内側支持脚を貫通させることができる貫通孔が穿設され、
前記共用絶縁板の前記外縁の支持脚および内側支持脚の下端面はオプション用バスバーを搭載したオプション用絶縁板の設置の有無にかかわらず前記バスバー収容部の底面に位置する前記プリント基板の表面に接地して支持される構成としていることを特徴とする電気接続箱。
【発明の詳細な説明】
【技術分野】
【０００１】
本発明は自動車に搭載される車載用の電気接続箱に関し、特に、電気接続箱内に設けたバスバー収容部にオプション用回路材が収容されるか否かにかかわらず、該オプション用回路材の表面側に収容する共用される回路材を所定位置に保持できるようにするものである。
【背景技術】
【０００２】
従来、車載用の電気接続箱内に設けたバスバー収容部に共用バスバーとオプション用バスバーとを積層して収容する場合、図９に示すように、オプション用バスバー３を搭載したオプション用絶縁板１と共用バスバー４を搭載した共用絶縁板２のバスバー搭載面の形状、大きさを略同一とし、下層に配置したオプション用絶縁板１の上面に共用絶縁板２を載置して積層している。
【０００３】
しかしながら、オプション用バスバー３は車種やグレードによって不要となる。その場合、オプション用バスバー３を搭載したオプション用絶縁板１の厚さ分だけ共用バスバー４を搭載した共用絶縁板２の設置高さは低くなるが、該共用バスバー４から突出させた端子はケース側に設けたコネクタ収容部やリレー収容部に収容される相手方端子５と接続させるために共用バスバー４の設置高さＨを一定とする必要がある。
そのために、図１０（Ａ）に示すように、共用絶縁板２の下に別のスペーサ用の板材６を配置したり、図１０（Ｂ）に示すように、オプション用絶縁板１の厚さ分だけ厚みを大とした別の共用絶縁板７を用いる必要がある。
しかしながら、いずれの方法も、オプション用バスバー３の設置の有無に応じて複数の絶縁板を使う必要があり、部品点数が増加してコスト高となる点に問題がある。
【０００４】
また、図１０（Ｃ）に示すように、オプション用バスバー３を搭載しないオプション用絶縁板１を共用絶縁板２の下層に配置して共用バスバー４の接続高さＨを確保することも考えられるが、オプション用絶縁板１のバスバー収容凹部１ａが空洞となるため、共用バスバー４の下支えが不足し、相手方端子との嵌合時に共用バスバー４の下方への沈み込みが生じやすい。
【０００５】
絶縁板にバスバーを搭載し、これを複数層積層する場合において、絶縁板の使用枚数を削減するものとして、本出願人は特開平８−３２２１２７号（特許文献１）を提案している。
詳しくは、図１１に示すように、上層の絶縁板８の上面にバスバーＡ１を、下面にバスバーＡ２を配置し、下層の絶縁板９の上面にバスバーＡ３を、下面にバスバーＡ４を配置し、上層の絶縁板８の下面側に突出させた突出部８ａと下層の絶縁板９の上面側に突出させた突出部９ａによって、上層の絶縁板８の下面側のバスバーＡ２の下面と、下層の絶縁板９の上面側のバスバーＡ３の上面とが一定間隔Ｔを隔てて対面するように積層している。これにより、４層のバスバーＡ１〜Ａ４を積層するために従来であれば少なくとも３枚の絶縁板を使用していたところを２枚に減らし、コストダウンを図ることができるとしている。
しかしながら、特許文献１の構成は、オプション用バスバーの設置の有無から生じる問題点についでは考慮されておらず、前記問題を解決するものではない。
【０００６】
【特許文献１】特開平８−３２２１２７号公報
【発明の開示】
【発明が解決しようとする課題】
【０００７】
本発明は前記問題に鑑みてなされたもので、オプション用バスバーの上層に共用バスバーを収容するバスバー収容部が設けられた電気接続箱において、オプション用バスバーの有無にかかわらず、搭載する共用バスバーの高さ位置を所定位置に保持しながら共用絶縁板を用いることができるようにして、部品点数の増加、それに伴うコストアップを抑制することを課題としている。
【課題を解決するための手段】
【０００８】
前記課題を解決するために、本発明は、ケース内に固定されるプリント基板の上部空間にバスバー収容部を設け、該バスバー収容部にバスバーを搭載した絶縁板を収容している車載用の電気接続箱であって、
他の車両と共用で用いられる共用絶縁板と、該共用絶縁板上に搭載される共用バスバーを備え、
前記共用絶縁板と前記バスバー収容部の底面の前記プリント基板との間に、オプション用絶縁板上に搭載されるオプション用バスバーの収容空間が設けられ、
前記共用絶縁板に、バスバー搭載部の外縁から支持脚が突設されていると共にバスバー搭載部の外周よりも内側の中央部から内側支持脚が突設されている一方、
前記オプション用絶縁板に、前記共用絶縁板の前記外縁の支持脚および内側支持脚とは異なる位置で前記バスバー収容部の底面に支持される支持脚が設けられていると共に前記共用絶縁板の内側支持脚を貫通させることができる貫通孔が穿設され、
前記共用絶縁板の前記外縁の支持脚および内側支持脚の下端面はオプション用バスバーを搭載したオプション用絶縁板の設置の有無にかかわらず前記バスバー収容部の底面に位置する前記プリント基板の表面に接地して支持される構成としていることを特徴とする電気接続箱を提供している。
【０００９】
前記構成によれば、共用絶縁板はオプション用絶縁板の上に載置して支持しているのではなく、ケース内部に固定するプリント基板の表面で直接支持しているため、オプション用バスバーを設置しない場合、下層にオプション用バスバーを搭載しないオプション用絶縁板やスペーサ用の絶縁板材を配置したり、あるいは、共用バスバーを搭載する共用絶縁板自体を別の専用絶縁板に取り替えなくても、共通部品からなる共用絶縁板を用いて共用バスバーを所定位置（高さ）に保持することができる。
このように、オプション用バスバーを使用しない場合でも、オプション用バスバーを使用する場合と同じ共用絶縁板のみで共用バスバーの接続高さを確保できるため、下層部分に配置する部材が不要となり、コストを低減することができる。
また、オプション用バスバーの設置の有無に応じて複数の絶縁板を使い分ける必要がないため、この点からも部品点数を削減でき、コストを低減できると共に作業性も向上する。
【００１１】
本発明では、前記のように、外縁の支持脚および内側支持脚がバスバー収容部の底面に直接支持され、共用絶縁板上に搭載される共用バスバーを下支えすることができるため、共用バスバーが相手方端子と嵌合接続する際に下方に沈み込むことを防止できる。
【００１２】
前記のように、ケース内部に設けたバスバー収容部は、前記ケース内に固定されるプリント基板の上部空間とし、前記バスバー収容部の底面をプリント基板の表面としている。
【発明の効果】
【００１３】
上述したように、本発明によれば、共用バスバーを搭載した共用絶縁板はバスバー収容部の底面に位置するプリント基板で直接支持しているため、オプション用バスバーを使用しない場合でも、オプション用バスバーを搭載していないオプション用絶縁板や、別のスペーサ用の絶縁板を設置せずに、オプション用バスバーを使用する場合と同じ共用絶縁板を用いて共用バスバーを所定位置（高さ）に保持することができる。
従って、オプション用バスバーを使用しない車種やグレードにおいては、共用絶縁板の下層に配置する部材が不要となるため、コストを低減することができる。また、オプション用バスバーの設置の有無に応じた複数の絶縁板の使い分けが不要となるため、この点からも部品点数を削減でき、コストを抑制できると共に作業性も向上する。
【００１４】
また、共用絶縁体に突設する支持脚を、共用絶縁体の外周部に加え内側の中央部にも設けることにより、オプション用バスバーおよびオプション用絶縁体の有無に関わらず、相手方端子と嵌合接続する際の共用バスバーの沈み込みを防止することができる。
【発明を実施するための最良の形態】
【００１５】
以下、本発明の実施形態を図面を参照して説明する。
図１乃至図５は本発明の参考第一実施形態の自動車搭載用の電気接続箱１０を示す。
【００１６】
電気接続箱１０は、アッパーケース１１とロアケース１２とからなるケース内部に、上下二段にプリント基板２０、２１を収容し、上方のプリント基板２１の上面とアッパーケース１１の下面との間をバスバー収容部５０とし、該バスバー収容部５０内に下方からオプション用絶縁板１８、オプション用バスバー１６、共用絶縁板１９、共用バスバー１７を積層して収容している。
アッパーケース１１の上面には、リレー収容部１３、ヒューズ収容部１４、コネクタ収容部１５を設け、これら収容部１３、１４、１５に嵌合されるリレー、ヒューズ、コネクタ（図示せず）を前記バスバー１６、１７およびプリント基板２１から突設した端子と接続している。
【００１７】
前記したように、下層に配置されるオプション用バスバー１６は、車種やグレードによっては不要となるバスバーであり、上層に配置される共用バスバー１７は、車種やグレードに関係なく用いられる共用バスバーである。
前記オプション用バスバー１６を上面に搭載するオプション用絶縁板１８はオプション用バスバー１６を使用するときのみ用いられる。一方、共用バスバー１７を上面に搭載する共用絶縁板１９は、オプション用バスバー１６の搭載の有無にかかわらず、他の車両と共用で用いられるものである。
【００１８】
前記ロアケース１２の内部には、図２に示すように、プリント基板２０、２１が上下２段に位置決め固定され、上段のプリント基板２１の上面に、共用バスバー１７を搭載した共用絶縁板１９のバスバー搭載部１９ａの下面から突設した支持脚２４の下端面を当接させて共用絶縁板１９を支持している。該共用絶縁板１９のバスバー搭載部１９ａとプリント基板２１との空間Ｓをオプション用バスバー１６を搭載したオプション用絶縁板１８の収容部としている。
【００１９】
前記オプション用絶縁板１８のバスバー搭載部１８ａと共用絶縁板１９のバスバー搭載部１９ａとは、図３に示すように同じ大きさであるが、オプション用バスバー１６はオプション用絶縁板１８上の一部領域にのみ搭載している。
オプション用絶縁板１８のバスバー搭載部１８ａの外周部には、オプション用バスバー１６の非搭載位置の所要箇所に上下に貫通する複数の切欠２２を設け、該切欠２２を設けていない箇所の下面側より、図４（Ａ）に示すように複数の支持脚２３を突設している。
【００２０】
共用絶縁板１９のバスバー搭載部１９ａの外周部には、図４（Ａ）にも示すように、オプション用絶縁板１８に設けた前記切欠２２と上下方向に対応する位置の下面側より支持脚２４を下方に突設している。
【００２１】
前記オプション用絶縁板１８から突設した支持脚２３、共用絶縁板１９から突設した支持脚２４は、その下端面２３ａ、２４ａがそれぞれ前記プリント基板２１の上面に当接する突出長さとしているが、その接地箇所はプリント基板２１の空き領域となるように設定している。
【００２２】
オプション用バスバー１６を使用する場合は、図４（Ａ）に示すように、まず、プリント基板２１の上面に、オプション用バスバー１６を上面に搭載したオプション用絶縁板１８の支持脚２３を載置して位置決め固定する。
次に、オプション用絶縁板１８の前記各切欠２２に、共用バスバー１７を上面に搭載した共用絶縁板１９の前記各支持脚２４を上から挿入して嵌合させることにより、図４（Ｂ）に示すように、プリント基板２１上に、共用バスバー１７を搭載した共用絶縁板１９の支持脚２４が直接支持されて、共用バスバー１７は所定高さＨ１に保持される。かつ、該共用絶縁板１９とプリント基板２１との間の空間Ｓに、オプション用バスバー１６を搭載したオプション用絶縁板１８が収容配置される。
【００２３】
車種やグレードによってオプション用バスバー１６が不要となる場合は、図５に示すように、プリント基板２１上に共用バスバー１７を搭載した共用絶縁板１９のみを載置すればよく、その場合でも、共用絶縁板１９から突設した支持脚２４によって、共用バスバー１７を所定高さＨ１に位置決め保持することができる。
【００２４】
このように、共用バスバー１７を搭載する絶縁板には、オプション用バスバー１６を使用する場合も使用しない場合も同一の共用絶縁板１９を使用することができ、かつ、共用絶縁板１９のみで常に共用バスバー１７を所要高さＨ１に保持することができるため、部品コストを削減できる。
また、従来のように、オプション用バスバー１６を使用しない場合に共用絶縁板１９の下に別の部材を介在させたり、別の専用絶縁板に取り替える等の必要がないため、複数の絶縁板の使い分けが不要となり、部品点数を削減でき、コストを低減できると共に、作業性も向上する。
【００２５】
図６（Ａ）（Ｂ）に本発明の実施形態を示す。
実施形態では、共用絶縁板１９には、バスバー搭載部１９ａの外周部よりも内側の中央部から下方に内側支持脚２５を突設し、オプション用絶縁板１８には、前記内側支持脚２５と上下方向に対応する位置に、該内側支持脚２５を貫通させることができる貫通穴２６を穿設している。
その他の共用絶縁板１９の外縁に支持脚２４を設けている構成を含めて他の構成は前記参考第一実施形態と同一としているため、同一符号を付して説明を省略する。
【００２６】
前記内側支持脚２５と貫通穴２６の形成箇所は、貫通穴２６がオプション用絶縁板１８のバスバー非搭載位置にあり、かつ、該内側支持脚２５の下端面２５ａがプリント基板２１上の空き領域に接地するように設定している。
【００２７】
本実施形態では、オプション用バスバー１６を使用する場合には、オプション用絶縁板１８の前記切欠２２と前記貫通穴２６に共用絶縁板１９の支持脚２４と内側支持脚２５をそれぞれ貫通して嵌合させてプリント基板２１上に載置することにより、オプション用バスバー１６と共用バスバー１７の双方を所定位置に位置決め保持することができる。
また、オプション用バスバー１６を使用しない場合においても、前記参考第一実施形態と同様に、オプション用バスバー１６を使用する場合と同一の共用絶縁板１９を用い、該共用絶縁板１９の支持脚２４と内側支持脚２５とをプリント基板２１に支持させることにより、共用バスバー１７を所定高さＨ１に位置決め保持することができる。さらに、プリント基板２１に支持された内側支持脚２５によって共用バスバー１７が下支えされるため、共用バスバー１７が相手方端子との嵌合接続時に沈み込むことも防止できる。
【００２８】
図７および図８に本発明の参考第二実施形態を示す。
参考第二実施形態においては、オプション用絶縁板１８を共用絶縁板１９よりも小型とし、共用絶縁板１９には、バスバー搭載部１９ａの外周部から支持脚２４を突設すると共に、該外周部よりも内側で、積層状態において下面側にオプション用絶縁板１８が配置されない部分から内側支持脚２５を突設している。
その他の構成は前記参考第一実施形態と同一であるため、同一符号を付して説明を省略する。
【００２９】
本参考第二実施形態においても、図８（Ａ）（Ｂ）に示すように、オプション用バスバー１６およびオプション用絶縁板１８の設置の有無に関わらず、共用バスバー１７を搭載する絶縁板に同一の共用絶縁板１９を使用することができ、オプション用バスバー１６を使用しない場合でも、この共用絶縁板１９のみで共用バスバー１７を所定高さＨ１に位置決め保持することができる。また、共用絶縁板１９の下に別部材を介在させなくても、プリント基板２１に前記内側支持脚２５が直接支持されることによって、共用バスバー１７の沈み込みも防止することができる。
【図面の簡単な説明】
【００３０】
【図１】本発明の参考第一実施形態に係る電気接続箱の分解斜視図である。
【図２】内部回路の積層構成を示す断面図である。
【図３】共用バスバーを搭載した共用絶縁板と、オプション用バスバーを搭載したオプション用絶縁板の平面図である。
【図４】オプション用バスバーを使用する場合の側面図であり、（Ａ）はオプション用絶縁板上に共用絶縁板を積層する前の状態を示し、（Ｂ）はオプション用絶縁板上に共用絶縁板を積層した状態を示す図である。
【図５】オプション用バスバーを使用しない場合の積層構成を示す断面図である。
【図６】本発明の実施形態の内部回路の断面図であり、（Ａ）はオプション用バスバーを使用する場合の構成を示し、（Ｂ）はオプション用バスバーを使用しない場合の構成を示す図である。
【図７】参考第二実施形態の、共用バスバーを搭載した共用絶縁板と、オプション用バスバーを搭載したオプション用絶縁板の平面図である。
【図８】本発明の参考第二実施形態の内部回路の断面図であり、（Ａ）はオプション用バスバーを使用する場合の構成を示し、（Ｂ）はオプション用バスバーを使用しない場合の構成を示す図である。
【図９】従来例を示す概略断面図である。
【図１０】（Ａ）（Ｂ）（Ｃ）は、従来例の問題点を示す概略断面図である。
【図１１】他の従来例を示す図である。
【符号の説明】
【００３１】
１０  電気接続箱
１１  アッパーケース
１２  ロアケース
１６  オプション用バスバー
１７  共用バスバー
１８  オプション用絶縁板
１９  共用絶縁板
２１  プリント基板（支持部）
２２  切欠
２３、２４  支持脚
２５  内側支持脚
２６  貫通穴
【図１】
0005012401.tif 000002
【図２】
0005012401.tif 000003
【図３】
0005012401.tif 000004
【図４】
0005012401.tif 000005
【図５】
0005012401.tif 000006
【図６】
0005012401.tif 000007
【図７】
0005012401.tif 000008
【図８】
0005012401.tif 000009
【図９】
0005012401.tif 000010
【図１０】
0005012401.tif 000011
【図１１】
0005012401.tif 000012